(57)【要約】【課題】 本発明は、発光效率及び色温度を増加させることができるプラズマディスプレイパネルを提供する。 【解決手段】 本発明の実施形態によるプラズマディスプレイパネルは、上部基板と下部基板との間で隣接する表示セルを区切る隔壁及びその隔壁の間に形成される（Ｒ、Ｇ、Ｂ）蛍光体を含むプラズマディスプレイパネルにおいて、前記（Ｒ、Ｇ、Ｂ）蛍光体の各表示セルを囲んでいる隔壁形状と、その（Ｒ、Ｇ、Ｂ）蛍光体全体を囲んでいる隔壁形状とが、正方形であり、前記（Ｒ、Ｇ、Ｂ）蛍光体の表示セルの中で二つの表示セルが上部に縦に並んで形成され、残り一つの表示セルが下部に横に形成される。【選択図】  図５
2005063967.tif 000002
【特許請求の範囲】
【請求項１】
上部基板と下部基板との間で隣接する表示セルを区切る隔壁及びその隔壁の間に形成される（Ｒ、Ｇ、Ｂ）蛍光体を含むプラズマディスプレイパネルにおいて、
前記（Ｒ、Ｇ、Ｂ）蛍光体の各表示セルを囲んでいる隔壁形状と、その（Ｒ、Ｇ、Ｂ）蛍光体の全体を囲んでいる隔壁形状とが四角形であり、前記（Ｒ、Ｇ、Ｂ）蛍光体の表示セルの中で二つの表示セルは上部に縦に並んで形成され、残り一つの表示セルは下部に横に形成されたことを特徴とするプラズマディスプレイパネル。
【請求項２】
前記上部に形成された表示セルの縦隔壁の幅より下部に形成された表示セルの縦隔壁の幅がさらに広いことを特徴とする、請求項１に記載のプラズマディスプレイパネル。
【請求項３】
前記上部の表示セルの縦隔壁の長さと前記下部の表示セルの縦隔壁の長さとの比が３:２であることを特徴とする、請求項１又は２に記載のプラズマディスプレイパネル。
【請求項４】
前記下部の表示セルの縦隔壁の幅が３６０乃至４００umであることを特徴とする、請求項２又は３に記載のプラズマディスプレイパネル。
【請求項５】
前記表示セルのアドレス電極構造において、母線は直線状であるが、表示セルの内部においては広い電極構造を有することを特徴とする、請求項１または４の何れかに記載のプラズマディスプレイパネル。
【発明の詳細な説明】
【技術分野】
【０００１】
本発明は、プラズマディスプレイパネルに関し、より詳細には発光效率及び色温度を増加させることができるプラズマディスプレイパネルに関する。
【背景技術】
【０００２】
一般的なプラズマディスプレイパネルＰＤＰは、Ｈｅ+Ｘｅ又はＮｅ+Ｘｅ不活性混合ガスの放電時発生する１４７nmの紫外線によって蛍光体を発光させることで、文字又はグラフィックを含む画像を表示する装置であり、大型化が容易だけでなく表示品質が優れており、応答速度が早いという特徴がある。また、薄型化することができるため液晶ディスプレイ装置ＬＣＤなどと共に壁掛け用ディスプレイ用途としても注目されている。
【０００３】
ＰＤＰは、電極の配置構造によって大きく面放電型と対向放電型とに分けられ、電極の露出の可否によって交流放電型（ＡＣ ｔｙｐｅ）、直流放電型（ＤＣ ｔｙｐｅ）、又は混合型（ｈｙｂｒｉｄ ｔｙｐｅ）に分けられる。ここで、特に、３電極交流面放電型ＰＤＰは、放電時表面に蓄積された壁電荷を利用して放電に必要な電圧を低め、放電によって発生されるスパッタリングから電極を保護するため、低電圧駆動と長寿命の長所を有する。
【０００４】
図１は、一般的な交流面放電型プラズマディスプレイパネルの断面図を示したものである。図示されたように、下部基板１と、前記下部基板１の上部に形成されたアドレス電極Ｘと、前記アドレス電極Ｘの上部に形成された下部誘電体層２と、前記下部誘電体層２の上部に形成され、放電距離を維持させてセルの間の電気的、光学的なクロストークを防止し、蛍光体４を収容する隔壁３とを含む。
【０００５】
また、前記上部誘電体層６上には保護膜５が形成される。保護膜５は、放電中ガスイオンによる上部誘電体層６のスパッタリングを防止することで寿命を増大させ、二次電子放出によって放電開始電圧を低下させる役割をする。ここで、放電開始電圧が低くなると安定した放電を得ることができるだけでなく、電極の寿命も長くなる。なお、前記保護膜５と蛍光体４との間の空間は、Ｎe+Ｘe、Ｈe+Ｘeなどの不活性ガスで充填される。
【０００６】
また、ＰＤＰの上部基板７上には、スキャン電極Ｙと維持電極Ｚとが形成され、その二つの電極（Ｙ、Ｚ）は、上部基板７の光透過を阻害しないように透明電極であるＩＴＯ（Ｉｎｄｉｕｍ-Ｔｉｎ-Ｏｘｉｄｅ）電極で構成される。そして、前記二つの電極（Ｙ、Ｚ）の電圧降下を防止するため、これより狭い面積の金属電極であるバス電極Ｂを備える。
【０００７】
前記スキャン電極Ｙと維持電極Ｚとの上には上部誘電体層６を形成する。その上部誘電体層６はプラズマ放電電流を制限すると共に放電時の壁電荷を蓄積する役割をする。
【０００８】
それでは、図１を参照してＰＤＰの作動原理を説明する。
先に、スキャン電極Ｙと維持電極Ｚとの間に放電維持電圧に相当する電圧を印加して上部誘電体層６に電荷を蓄積させる。
【０００９】
その後、アドレス電極Ｘに放電開始電圧に相当する電圧を印加すると、グロー放電によって不活性ガスが電子とイオンとに分離されプラズマ化され、前記電子とイオンとが再結合する瞬間に発生する紫外線によって蛍光体４が発色する。
【００１０】
このような構造を有する従来のＰＤＰの隔壁構造及び上部基板と下部基板の電極構造に対し、添付した図２、図３、及び図４を参照して説明する。
【００１１】
図２と図３は、従来のストライプ隔壁構造とウェル隔壁構造及びその構造に対する電極構造を示したものである。図示されたように、下部基板には複数個のストライプ型隔壁３（図２ｂ）とウェル型隔壁３（図３ｂ）が一定の幅で平行に配列されており、これら隔壁３の間にアドレス電極Ｘが形成されている。
【００１２】
上部基板７上には、前記下部基板１に形成されたアドレス電極Ｘと交差する方向にスキャン電極Ｙと維持電極Ｚとが対で形成されている。
しかし、このようなストライプ隔壁構造とウェル隔壁構造とは、蛍光体の塗布面積が少なくて発光効率の低い問題点があった。
【００１３】
このような問題点を改善するための隔壁構造を図４に図示した。
図４は、四角形のデルタ隔壁構造及びその構造に対する電極構造を示したものである。図示されたように、上部基板７上には、ストライプ隔壁構造とウェル隔壁構造と同様に形成されるスキャン電極Ｙと維持電極ＺとがＹ-Ｚ-Ｙ-Ｚ構造に形成され、その下部基板１上には、前記スキャン電極Ｙ及び維持電極Ｚとに交差するアドレス電極Ｘが形成され、その交差点において（Ｒ、Ｇ、Ｂ）蛍光体の表示（放電）セルを形成する。
【００１４】
また、その（Ｒ、Ｇ、Ｂ）蛍光体の表示セルは三角形構造に形成され、その三角形構造の（Ｒ、Ｇ、Ｂ）蛍光体の表示セルのそれぞれは、隔壁３によって完全に囲まれるように構成され、隔壁３がマトリックス構造を成すようになる。
【００１５】
しかし、前記のような従来のストライプ隔壁構造及びウェル隔壁構造のＰＤＰは、蛍光体の塗布面積が少なくて発光效率の低い問題点があった。
また、従来の四角形のデルタ隔壁構造は（Ｒ、Ｇ、Ｂ）蛍光体の表示セルが三角形構造であるため、同一の蛍光体がジグザグ形態となり、画質が落ちる問題点があった。
【発明の開示】
【発明が解決しようとする課題】
【００１６】
本発明の目的は、発光效率及び色温度を増加させることができるプラズマディスプレイパネルを提供することにある。
【課題を解決するための手段】
【００１７】
本発明の実施形態によるプラズマディスプレイパネルは、上部基板と下部基板との間で隣接する表示セルを区切る隔壁及びその隔壁の間に形成される（Ｒ、Ｇ、Ｂ）蛍光体を含むプラズマディスプレイパネルにおいて、前記（Ｒ、Ｇ、Ｂ）蛍光体の各表示セルを囲んでいる隔壁形状と、その（Ｒ、Ｇ、Ｂ）蛍光体の全体を囲んでいる隔壁形状とが四角形であり、前記（Ｒ、Ｇ、Ｂ）蛍光体の表示セルの中で二つの表示セルが上部に縦に並んで形成され、残り一つの表示セルが下部に横に形成されたことを特徴とする。
【００１８】
また、前記上部に形成された表示セルの縦隔壁の幅より下部に形成された表示セルの縦隔壁の幅がさらに広いことを特徴とする。
【００１９】
また、前記上部の表示セルの縦隔壁の長さと下部の表示セルの縦隔壁の長さとの比が３:２であることを特徴とする。
また、前記下部の表示セルの縦隔壁の幅が３６０乃至４００umであることを特徴とする。
また、前記表示セルのアドレス電極構造において、母線は直線状であるが、表示セル内部においては広い電極構造を有することを特徴とする。
【発明の効果】
【００２０】
上述したように、本発明は、（Ｒ、Ｇ、Ｂ）蛍光体の表示セルを囲んでいる全体隔壁を正方形で形成し、その全体隔壁の上部に二つの表示セルを縦に、下部に一つの表示セルを横に形成することによって、隔壁構造及び上部基板と下部基板との電極配置を変更して開口率を増加させることで、発光效率及び色温度を増加させることができる效果がある。
【発明を実施するための最良の形態】
【００２１】
図５は、本発明のプラズマディスプレイパネルの隔壁構造及び上部基板と下部基板との電極構造を図示したものである。図示されたように、（Ｒ、Ｇ、Ｂ）蛍光体を収容するそれぞれの隔壁３の形態が正方形からなっており、その（Ｒ、Ｇ、Ｂ）蛍光体を収容する隔壁３の全体形状も正方形からなる。
【００２２】
また、（Ｒ、Ｇ、Ｂ）蛍光体の表示セルの中で二つの表示セルは上部に縦に並んで形成され、残り一つの表示セルは下部に横に形成されている。このように構成することによって、下部に形成された表示セルは従来のストライプ構造と同様のセルの大きさを有し、上部に形成された二つの表示セルは正方形に近い隔壁構造を有するようになり、セルの開口率が増加するようになる。
【００２３】
このとき、横隔壁３の幅は、バス電極（Ｙ、Ｚ）による誤放電を防止できるように十分に広くし、バス電極の幅を６５um程度にすれば、横隔壁の幅はこれより３倍程度広い２００um程度とする。そして、図５aと図５bに示したように、上部に形成された表示セルと下部に形成された表示セルとの縦隔壁の長さのaとｂの割合を３:２程度にすると、上部に形成された二つの表示セルは正方形に近くなる。
【００２４】
縦隔壁３の幅は、上部に形成された表示セルと下部に形成された表示セルにおいてそれぞれ異なり、図５ｂに示された下部基板のアドレス電極Ｘの構造において、上部の二つの表示セルの間の縦隔壁３の幅は、下部に形成された表示セルを通過するアドレス電極Ｘによる影響が生じないほどに決まる。すなわち、上部の二つの表示セルの間の縦隔壁３の幅はアドレス電極Ｘ幅の２倍程度にすればよい。
【００２５】
一方、隔壁３を製造すると下幅がさらに広くなるため、実際の上幅はアドレス電極Ｘの幅と同一の大きさを有する反面、下部の表示セルの縦隔壁３の幅は、上部に形成された二つの表示セルのアドレス電極Ｘが一定の間隔を維持しながら通過しなければならないし、また、下部の表示セルの内部空間に突出されないようにしなければならないため、上部の表示セルの縦隔壁３の幅よりさらに広くなければならない。
【００２６】
通常、アドレス電極Ｘの幅を９０um程度、電極間の間隔を１２０um程度とすれば、下部の表示セルの縦隔壁の幅は、３６０〜４００um程度になり、このような隔壁構造及び電極配置によって発光效率が上昇するようになる。
【００２７】
また、図５に示されたように、本発明は、Ｇ表示セルを上部に形成された二つの表示セルの中で一方に位置させ、ＲとＢの表示セルの中で一つを上部に形成された残り表示セルに位置させれば良い。一般的に、Ｂの輝度が低いため、Ｂの表示セルを上部の表示セルに形成することによって色温度を高めることができる。
【００２８】
そして、図５bに示されたように、アドレス電極構造において、母線は直線状であるが、セル内部においては広い電極構造を有するように作ることによって、アドレス特性を改善させることができる。
【図面の簡単な説明】
【００２９】
【図１】一般的な交流面放電型プラズマディスプレイパネルの断面図。
【図２】従来のストライプ隔壁の構造とそれに対する上部基板aと下部基板bとの電極構造を示した図。
【図３】従来のウェル隔壁構造とそれに対する上部基板aと下部基板bとの電極構造を示した図。
【図４】従来の正方形のデルタ隔壁構造とそれに対する上部基板aと下部基板bとの電極構造を示した図。
【図５】本発明によるプラズマディスプレイパネルの隔壁構造とそれに対する上部基板aと下部基板bとの電極構造を示した図。
【符号の説明】
【００３０】
１  下部基板 
２  下部誘電体層
３  隔壁
４  蛍光体
５  保護膜
６  上部誘電体層
７  上部基板
Ｂ  バス電極
Ｘ  アドレス電極
Ｙ  スキャン電極
Ｚ  維持電極
【図１】
2005063967.tif 000003
【図２】
2005063967.tif 000004
【図３】
2005063967.tif 000005
【図４】
2005063967.tif 000006
【図５】
2005063967.tif 000007